(57)【要約】  【目的】  間仕切りの上面に追加的に取付けられる間仕切り用補助パネルに関するものであり、工具を一切必要とせず取付けが簡単で、部品点数が少なく安価に製作できる間仕切り用補助パネルを提供する事を目的とする。  【構成】  間仕切りの上端面に着脱自在に取付けられる間仕切り用補助パネルであって、パネル本体と、パネル本体の下端部所定位置に着脱自在に取付けられる連結具取付金具と、連結具取付金具に着脱自在に取付けられ、間仕切りの上端面に着脱自在に連結される連結具より構成され、パネル本体の下端部所定位置には嵌入部が形成され、連結具取付金具が嵌入部の下方から嵌入した後略９０度回動し、連結具取付面が下面に位置した状態で、連結具取付金具の嵌入部からの脱落が防止されるよう、嵌入部と連結具取付金具は、互いに対応した形状に形成されているものである。  【選択図】      図２
2005068891.tif 000002
【特許請求の範囲】
【請求項１】
間仕切りの上端面に着脱自在に取付けられる間仕切り用補助パネルであって、パネル本体と、パネル本体の下端部所定位置に着脱自在に取付けられる連結具取付金具と、連結具取付金具に着脱自在に取付けられ、間仕切りの上端面に着脱自在に連結される連結具より構成され、パネル本体の下端部所定位置には嵌入部が形成され、連結具取付金具が嵌入部の下方から嵌入した後、略９０度回動し、連結具取付面が下面に位置した状態で、連結具取付金具の嵌入部からの脱落が防止されるよう、嵌入部と連結具取付金具は、互いに対応した形状に形成されている事を特徴とする間仕切用補助パネル。
【請求項２】
嵌入部は円形の貫通孔と、貫通孔の下端部の一部が開口する貫通孔の直径より間隔が小さな寸法の下端開口部より構成され、連結具取付金具は、貫通孔に合致する略半円柱形で下端部に連結具取付面が形成され、連結具取付面の中央部からの最大寸法が前記下端開口部よりやや小さ目の寸法に形成された嵌合軸部と、パネル本体の厚みに相当する間隔を有して嵌合軸部の前後面に連設され、嵌入部より大きい前後挟持部より構成され、連結具は、前記連結具取付面の中央部に形成された連結用螺孔に螺合する螺軸を上端に有し、間仕切りの上端面に形成されパネル取付孔に差し込まれる嵌入軸より構成されていることを特徴とする間仕切用補助パネル。
【発明の詳細な説明】
【技術分野】
【０００１】
本発明は、間仕切りの上端面に追加的に取付けられる間仕切り用補助パネルに関するものである。
【背景技術】
【０００２】
事務所空間を適宜に区画する間仕切り（いわゆる可動式ローパネル）の上端面に、隣接する空間、及び他人の視線との遮蔽や美観向上のために、間仕切り用補助パネルを追加的に取付ける事がある。
その手段として、間仕切り用補助パネルと間仕切り上端の笠木とに前後両側から重なる前後一対のクランプ体と、両クランプ体で笠木と間仕切り用補助パネルとが前後両側から挟持されるように両クランプ体を互いに引き付けるためのねじ（ボルト）を備えたものがある。（例えば、特許文献１参照。）
しかし、上記の構成では、ねじを用いているので、間仕切り用補助パネルを間仕切りに取付ける際にはドライバー等の工具が不可欠であり、このため、取付け作業の手間が煩雑であった。又、美観を向上させるために、ねじが露出する部分を隠すカバーを取付けることとなり、このため、部品点数の増加によって高価となる欠点があった。
【０００３】
【特許文献１】特開２００３−１３５２０号公報
【発明の開示】
【発明が解決しようとする課題】
【０００４】
本発明は、工具を一切必要とせず取付けが簡単で、部品点数が少なく安価に製作できる間仕切り用補助パネルを提供する事を課題とする。
【課題を解決するための手段】
【０００５】
そこで、上記課題を解決する為、本発明が第１の手段として構成したところは、間仕切りの上端面に着脱自在に取付けられる間仕切り用補助パネルであって、パネル本体と、パネル本体の下端部所定位置に着脱自在に取付けられる連結具取付金具と、連結具取付金具に着脱自在に取付けられ、間仕切りの上端面に着脱自在に連結される連結具より構成され、パネル本体の下端部所定位置には嵌入部が形成され、連結具取付金具が嵌入部の下方から嵌入した後略９０度回動し、連結具取付面が下面に位置した状態で、連結具取付金具の嵌入部からの脱落が防止されるよう、嵌入部と連結具取付金具は、互いに対応した形状に形成されているものである。
【０００６】
次に、本発明が第２の手段として構成したところは、前記第１の手段に加え、嵌入部は円形の貫通孔と、貫通孔の下端部の一部が開口する貫通孔の直径より間隔が小さな寸法の下端開口部より構成され、連結具取付金具は、貫通孔に合致する略半円柱形で下端部に連結具取付面が形成され、連結具取付面の中央部からの最大寸法が前記下端開口部よりやや小さ目の寸法に形成された嵌合軸部と、パネル本体の厚みに相当する間隔を有して嵌合軸部の前後面に連設され、嵌入部より大きい前後挟持部より構成され、連結具は、前記連結具取付面の中央部に形成された連結用螺孔に螺合する螺軸を上端に有し、間仕切りの上端面に形成されパネル取付孔に差し込まれる嵌入軸より構成されているものである。
【発明の効果】
【０００７】
請求項１に記載の発明によると、パネル本体と、連結具取付金具と、連結具よりなる構成であるから、部品点数が少なく安価に製作出来る。
又、パネル本体の嵌入部に連結具取付金具が下方から嵌入した後略９０度回動し、連結具取付面が下面に位置した状態で、連結具取付金具の嵌入部からの脱落が防止されるよう構成されているので、パネル本体に連結具取付金具を取付ける際、工具を一切必要とせず、手軽に行う事が出来る。
さらに、パネル本体と連結具取付金具と連結具はそれぞれ着脱自在に構成されているので、保管あるいは搬入等にスペースを必要としない。
請求項２に記載の発明によると、第１の効果に加え、連結具は、前記連結具取付面の中央部に形成された連結用螺孔に螺合する螺軸を上端に有し、間仕切りの上端面に形成されパネル取付孔に差し込まれる嵌入軸を螺軸の下方に有するように構成されているので、構造が簡単で安価に製作出来、間仕切りに対する間仕切り用補助パネルの取付けにも一切工具を必要とせず、手軽に間仕切り用補助パネルの取付け・取り外しができる。
【発明を実施するための最良の形態】
【０００８】
間仕切り１の上端面に着脱自在に取付けられる間仕切り用補助パネル２であって、パネル本体２１と、パネル本体２１の下端部所定位置に着脱自在に取付けられる連結具取付金具６と、連結具取付金具６と着脱自在に取付けられ、間仕切り１の上端面に着脱自在に連結される連結具７より構成され、パネル本体２１の下端部所定位置には嵌入部５が形成され、嵌入部５は円形の貫通孔５１と、貫通孔５１の下端部の一部が開口する貫通孔５１の直径より間隔が小さな寸法の下端開口部５２より構成され、連結具取付金具６は、貫通孔５１に合致する略半円柱形で下端部に連結具取付面６１が形成され、連結具取付面６１の中央部からの最大寸法が前記下端開口部５２よりやや小さ目の寸法に形成された嵌合軸部６２と、パネル本体２１の厚みに相当する間隔を有して嵌合軸部６２の前後面に連設され、嵌入部５より大きい前後挟持部６３、６４より構成され、連結具７は、前記連結具取付面６１の中央部に形成された連結用螺孔６０に螺合する螺軸７１を上端に有し、間仕切り１の上端面に形成されパネル取付孔１２１に差し込まれる嵌入軸７２より構成されているものである。
【実施例１】
【０００９】
図１は、本発明を間仕切り上面に取付けた状態の一部正面図を示している。
符号１は間仕切りを示し、符号２は間仕切り１の上面に着脱自在に取付けられた本発明の間仕切り用補助パネルを示している。
間仕切り１は、左右に配設された縦枠１１（一方側のみ図示。）と左右の縦枠１１間に配設された中枠（図示せず。）と、左右の縦枠１１及び中枠の上下端部と中間部に配設された上枠１２、下枠（図示せず。）及び中間枠（図示せず。）と、縦枠１１、上枠１２、下枠、中枠、中間枠に囲まれたそれぞれの格子状空間の前後面に、飾りネジ１０・・・にて着脱自在に取付けられた表面パネル１３・・・等より構成されている。
【００１０】
そして、左右の縦枠１１（一方側のみ図示。）の内面上部には、間仕切り用パネル２を立設保持する保持部材３（一方側のみ図示。）が設けられ、上枠１２の両端部所定位置（保持部材３の位置に対応した上方位置）にはパネル取付孔１２１（一方側のみ図示。）が形成され、保持部材３の上下保持突片３１、３２には、パネル取付孔１２１に対応してパネル上下支持孔３１１、３２１が形成されている。
【００１１】
間仕切り用補助パネル２は、厚さ約５ミリメートルのアクリル板を、高さ約２０センチメートルで、巾は間仕切り１の巾に対応した寸法にカットし、さらに、前記パネル取付孔１２１に対応する位置の下端に嵌入部５（一方側のみ図示。）を形成した、横長長方形状のパネル本体２１と、パネル本体２１の下端部所定位置に着脱自在に取付けられる連結具取付金具６と、連結具取付金具６と着脱自在に取付けられ、間仕切り１の上端面に着脱自在に連結される連結具７より構成されている。
符号８は、連結具７とパネル本体２１間に配設された断面上向きコ字型で、パネル本体２１の下端面に外嵌してパネル本体２１の下端部を補強し、嵌入部５の対応する位置に連結具７の一部が貫挿する取付孔８１が形成された補強板を示している。
【００１２】
嵌入部５は、円形の貫通孔５１と、貫通孔５１の下端部の一部が開口する貫通孔５１の直径より間隔が小さな寸法の下端開口部５２と、パネル本体２１の表側で、貫通孔５１、下端開口部５２の外形に沿って形成された環状凹部５３によって形成された環状突壁５４より構成されている。
環状突壁５４は、アクリル板の原板の厚みが必ずしも正確に成形されないので、一方側の表面を所定寸法まで切削して厚みを正確なものとし、連結具取付金具６の取付精度の向上を図る（取付後、連結具取付金具６とパネル本体２１がガタつかないよう取付けられる）ために設けられたものである。
【００１３】
連結具取付金具６は、貫通孔５１に合致する略半円柱形で下端部の中央部に連結用螺孔６０を有する連結具取付面６１が形成され、連結具取付面６１の中央部からの最大寸法が前記下端開口部５２よりやや小さ目の寸法に形成された嵌合軸部６２と、パネル本体２１の厚みに相当する間隔を有して嵌合軸部６２の前後面に連設され、嵌入部５より大きい前後挟持部６３、６４と、前後挟持部６３、６４の下端部内面間に形成された補強板嵌合部６５と、前挟持部６３の内面側で嵌合軸部６２の前挟持部６３側の外方に連設され、連結具取付金具６の取付時、環状凹部５３内に嵌合し、前記環状凹部５３の外面に当接する嵌合突部６６より構成されている。
【００１４】
連結具７は、前記連結具取付面６１の中央部に形成された連結用螺孔６０に螺合する螺軸７１を上端に有し、間仕切り１の上端面に形成されパネル取付孔１２１に差し込まれ、前記保持部材３のパネル上下支持孔３１１、３２１を貫通して上下保持突片３１、３２に保持される嵌入軸７２を螺軸７１の下方に有するように構成されている。
【００１５】
本発明は上記の如く構成され、間仕切り用補助パネル２を間仕切り１上に立設する場合は、図５に示すようにパネル本体２１の嵌入部５の下方から、連結具取付金具６を横向きにして嵌入すると、嵌合軸部６２は連結具取付面６１の中央部からの最大寸法が前記下端開口部５２の巾寸法よりやや小さ目の寸法に形成されているので、嵌合軸部６２を貫通孔５１内に位置させることとなる。
次に、この状態から、連結具取付金具６を略９０度回動させると、嵌合軸部６２は貫通孔５１に合致する略半円柱形に形成されているので、連結具取付面６１が下方に位置した状態で、嵌合軸部６２は貫通孔５１の上部に嵌合し、嵌合突部６６は環状凹部５３の上部に嵌合し、嵌合突部６６の内面は環状突壁５４の外面に当接する。そして、前後挟持部６３、６４は嵌入部５より大きく形成され、嵌合軸部６２（貫通孔５１）は下端開口部５２より大きく形成されているので、前後挟持部６３、６４はパネル本体２１を表裏両面から挟持して嵌入部５１を隠蔽した状態となり、これらの効果によって連結具取付金具６は嵌入部５より不用意に下方に抜け出すことがない。
【００１６】
そして、次に、補強板８をパネル本体２１の下端部に外嵌すると同時に連結具取付金具６の補強板嵌合部６５に内嵌させ、補強板８を介して、連結具７の螺軸７１を前記連結具取付面６１の中央部に形成された連結用螺孔６０に螺合させると、連結具取付金具６と連結具７は、パネル本体２１に完全に連結され、パネル本体２１に対する連結具取付金具６の回動は完全に阻止される。
この状態で、嵌合軸部６２を間仕切り１の上端面に形成されたパネル取付孔１２１に差し込んで、補強板８を間仕切り１の上端面（上枠１２の上端面）に当接させて、間仕切り用補助パネル２を間仕切り１上に追加的に立設する。
一方、間仕切り１上に立設された間仕切り用補助パネル２を取外す場合は、嵌入軸７２をパネル取付孔１２１より抜出し、取外された間仕切り用補助パネル２を前述とは逆の作業にて分解、保管する。
【図面の簡単な説明】
【００１７】
【図１】本発明を間仕切り上面に取付けた状態の一部正面図。
【図２】本発明の一部正面図
【図３】図２のＡ−Ａ線断面図
【図４】連結具取付金具の斜視図
【図５】本発明の組み立て手順を示す説明図
【符号の説明】
【００１８】
１            間仕切り
２          間仕切り用補助パネル
２１          パネル本体
５            嵌入部
５１          貫通孔
５２          下端開口部
６            連結具取付金具
６０          連結用螺孔
６１          連結具取付面
６２          嵌合軸部
６３          前挟持部
６４          後挟持部
７            連結具
７１          螺軸
７２          嵌入軸
【図１】
2005068891.tif 000003
【図２】
2005068891.tif 000004
【図３】
2005068891.tif 000005
【図４】
2005068891.tif 000006
【図５】
2005068891.tif 000007